(57)【要約】【課題】放熱ファンやペルチェ素子などを設けることなく高効率の放熱構造を実現する。【解決手段】プロジェクタモジュール３０は、予め前カバー部組として前カバー１００Ａに一体化される。その際、上記放熱ブロック３８の放熱部３８ｂが、内カバー１００Ａｉに設けた孔を介して外カバー（金属カバー）１００Ａｏの裏面に密着される。光源３１から発した熱は、放熱ブロック３８の熱伝達部３８ａから放熱部３８ｂに伝わり、金属製の外カバー１００Ａｏを介して外部に放出される。【選択図】図３
2008249955.tif 000002
【特許請求の範囲】
【請求項１】
光源および画像形成部材を有し、画像データから投影用の光像を形成して外部に投影するプロジェクタ装置において、
当該プロジェクタ装置の外カバーを金属製とするとともに、
前記光源の光軸と略直交する方向に延在し前記光源が密着される第１の部分と、前記光源の光軸方向に前記光源から遠ざかる方向に延在する第２の部分とから成る略Ｌ字状の金属ブロックを備え、前記光源の熱を装置外に放出すべく前記金属ブロックの前記第２の部分を前記外カバーの内面に密着させたことを特徴とするプロジェクタ装置。
【請求項２】
前記金属ブロックの前記第１，第２の部分の間の空間に、他の構成部品の少なくとも一部が位置することを特徴とする請求項１に記載のプロジェクタ装置。
【請求項３】
熱伝導性の部材を介して前記金属ブロックを前記外カバーに密着固定したことを特徴とする請求項１または２に記載のプロジェクタ装置。
【請求項４】
前記光源，前記画像形成部材および前記金属ブロックは、外カバー部組として予め前記外カバーに一体化されていることを特徴とする請求項１〜３のいずれか１項に記載のプロジェクタ装置。  
【請求項５】
前記外カバーの内側に樹脂カバーが一体化され、前記光源，前記画像形成部材および前記金属ブロックを少なくとも含むプロジェクタモジュールが、前記樹脂カバーに固定されていることを特徴とする請求項４に記載のプロジェクタモジュール。
【発明の詳細な説明】
【技術分野】
【０００１】
本発明は、プロジェクタモジュールを備えたプロジェクタ装置に関する。
【背景技術】
【０００２】
プロジェクタ装置においては、その光源（例えば、高輝度ＬＥＤ）の発熱が無視できず、有効な熱対策を講じないと熱による光源の破損や、画像への悪影響が懸念される。光源の熱対策を講じたものとして、例えば特許文献１，２に記載されたものがある。
【０００３】
【特許文献１】特開２００４−４５８１号公報
【特許文献２】特開２００４−６９８２５号公報
【発明の開示】
【発明が解決しようとする課題】
【０００４】
特許文献１，２における熱対策は、熱伝導性の放熱部材や冷却用のペルチェ素子などを追加する必要があるため部品点数が増加し、また熱を外部に効率よく逃がす工夫はなされておらず、放熱が不十分である。
【課題を解決するための手段】
【０００５】
本発明は、光源および画像形成部材を有し、画像データから投影用の光像を形成して外部に投影するプロジェクタ装置において、プロジェクタ装置の外カバーを金属製とするとともに、光源の光軸と略直交する方向に延在し光源が密着される第１の部分と、光源の光軸方向に光源から遠ざかる方向に延在する第２の部分とから成る略Ｌ字状の金属ブロックを備え、光源の熱を装置外に放出すべく金属ブロックの上記第２の部分を外カバーの内面に密着させたことを特徴とする。
金属ブロックの第１，第２の部分の間の空間に、他の構成部品の少なくとも一部を位置させてもよい。
熱伝導性の部材を介して金属ブロックを外カバーに密着固定してもよい。
光源，画像形成部材および金属ブロックは、外カバー部組として予め外カバーに一体化させておいてもよい。この場合、外カバーの内側に樹脂カバーを一体化し、光源，画像形成部材および金属ブロックを少なくとも含むプロジェクタモジュールを、樹脂カバーに固定してもよい。
【発明の効果】
【０００６】
本発明によれば、放熱ファンやペルチェ素子などを設けることなく高効率の放熱構造を実現できる。
【発明を実施するための最良の形態】
【０００７】
図１〜図４により本発明をプロジェクタ内蔵デジタルカメラに適用した場合の一実施形態を説明する。
図１は本実施形態におけるデジタルカメラの内部構造を正面から見た図、図２はそのII−II線断面図、図３は同III−III線断面図である。カメラ本体１００は、正面から見たときにほぼ矩形形状を呈し、その上面には複数の操作ボタン１が設けられている。図３の１００Ａ，１００Ｂは、カメラ本体１００の外郭を構成する前／後カバーであり、前カバー１００Ａは、金属製の外カバー１００Ａｏと、その内面に固定される樹脂性の内カバー１００Ａｉとから構成される。後カバー１００Ｂは金属製である。
【０００８】
カメラ本体１００の内部には、左側に電池室１０が、右側にカメラユニット２０がそれぞれ配置され、それらの間にプロジェクタモジュール３０が配置される。電池室１０には、例えばカメラ底面から電源電池が装填される。
【０００９】
カメラユニット２０は、屈曲式の撮影光学系２１、レンズバリア２２、撮像部２３などから構成される。撮影光学系２１は、複数のレンズや屈曲光学系であるミラー、光学式像振れ補正機構などを内蔵する。被写体からの光束は、カメラ本体正面に露出する対物レンズ２１ａに入射した後、ミラーで下方に折り曲げられ、レンズ群を透過した後、撮像部２３に入射する。２１ｂは光学式像振れ補正機構を内蔵する像振れ補正部である。
【００１０】
レンズバリア２２は、バリア駆動モータ２２ａ（図２）により軸Ｘを中心に回動可能とされ、対物レンズ２１ａの前面を覆う保護位置と、レンズ２１ａから退避する退避位置とを取り得る。不図示の制御回路は、電源スイッチのオンに応答してレンズバリア２２を保護位置から退避位置に駆動し、電源オフに応答して保護位置に駆動する。
【００１１】
撮像部２３には、撮像素子や光学フィルタなどが設けられる。撮影光学系２１を通過した光束は、カメラ底部付近において撮像素子に受光されて光電変換され、その光電変換出力に種々の処理が加えられて画像データが生成される。画像データは、カードスロット４０に装填されたメモリカードに記録される。
【００１２】
次に、プロジェクタモジュール３０について説明する。
図４の拡大図に示すように、プロジェクタモジュール３０は、高輝度ＬＥＤ等の光源３１と、集光レンズ３２と、偏光ビームスプリッタ（以下、ＰＢＳ）３３と、ＬＣＯＳ等の反射型液晶パネル３４と、投影レンズ３５と、ミラー３６と、これらを収容するケース３７とを有する。なお、透過型の液晶パネルを用いたものでもよい。
【００１３】
光源３１および集光レンズ３２は、ＰＢＳ３３が配置される箇所（屈曲部３０Ａ）から横方向に突出する水平部３０Ｂに配置され、投影レンズ３５およびミラー３６は、屈曲部３０Ａから鉛直方向に突出する垂直部３０Ｃに配置される。本実施形態では、水平部３０Ｂが図１の左側に突出するようにプロジェクタモジュール３０を配置したので、熱源である光源３１を撮像部２３から極力遠ざけることができ、熱ノイズによる画像への影響を最小限に抑制できる。
【００１４】
３８は、プロジェクタモジュール３０に予め一体化された金属製（例えば、アルミ製）の放熱ブロックであり、熱伝達部３８ａと放熱部３８ｂとが略Ｌ字を形成して成る（図３参照）。熱伝達部３８ａは、光源３１の光軸と直交する方向に延在する状態で光源３１に密着固定され、放熱部３０ｂは、光源３１の光軸方向に光源３１から遠ざかる方向に延在する。
【００１５】
上記プロジェクタモジュール３０は、予め前カバー部組として前カバー１００Ａに一体化される。本実施形態では、前カバー１００Ａの内カバー（樹脂カバー）１００Ａｉに複数のねじ孔付き凸部ＰＲを形成しておき、ここにプロジェクタモジュール３０のケース３７をビスＢＳで固定する。その際、上記放熱ブロック３８の放熱部３８ｂが、内カバー１００Ａｉに設けた孔を介して外カバー（金属カバー）１００Ａｏの裏面に密着される。図では、熱伝導性の両面接着テープＴＰを介して放熱部３８ｂを外カバー１００Ａｏに密着固定させている。このようにプロジェクタモジュール３０を予め前カバー１００Ａに部組化することで、放熱部３８ｂを外カバー１００Ａｏに密着させる作業が楽に行える。
【００１６】
以上のようなプロジェクタモジュール３０を用いて、メモリカードに記録された所望の画像データを外部に投影することができる。カメラの制御回路は、フレキシブルプリント基板３９を介して画像データを液晶パネル３４に送り、表示させる。この状態で光源３１を点灯すると、光源光は集光レンズ３２およびＰＢＳ３３を透過して反射型液晶パネル３４に入射し、その反射光像がＰＢＳ３３で上方に９０度屈曲され、投影レンズ３５およびミラー３６を介してカメラ正面に投影される。
【００１７】
光源３１から発した熱は、放熱ブロック３８の熱伝達部３８ａから放熱部３８ｂに伝わり、金属製の外カバー１００Ａｏを介して外部に放出される。図３から分かるように、放熱ブロック３８をＬ字状としたことで、放熱部３８ｂと外カバー１００Ａｏとの接触面積を十分確保しつつも、熱伝達部３８ａと放熱部３８ｂとの間の空間に電池室１０の一部を割り込ませることができる。したがって、放熱高効率を損なわずにカメラ内空間の有効利用が図れる。
【００１８】
なお図において、５１は閃光装置の発光部、５２は発光用の電荷を蓄えるコンデンサ、５３はプロジェクタモジュール３０の下方に設けた三脚座、５４は外部機器を接続するための端子、５５は画像等を外部表示するための液晶モニタ、５６はカメラのメイン基板である。
【００１９】
カメラ本体のカバーのうち放熱ブロックを密着させる箇所は、プロジェクタモジュールの配置位置によって変わってくる。例えば後カバー１００Ｂに密着させるようにしてもよい。また、以上はデジタルカメラにプロジェクタモジュールを設けた例を示したが、カメラ付き携帯電話機やその他の電子機器にプロジェクタモジュールを設けたもの、さらには撮影機能を持たないプロジェクタ内蔵機器にも本発明を適用できる。
【図面の簡単な説明】
【００２０】
【図１】一実施形態におけるプロジェクタ内蔵デジタルカメラの内部構造を正面から見た図。
【図２】図１のII−II線断面図。
【図３】図１のIII−III線断面図。
【図４】図１の要部を拡大して示す図。
【符号の説明】
【００２１】
１０  電池室
２０  カメラユニット
２１  撮影光学系
２３  撮像部
３０  プロジェクタモジュール
３１  光源
３３  偏光ビームスプリッタ
３４  反射型液晶パネル
３５  投影レンズ
３８  放熱ブロック
３８ａ  熱伝達部
３８ｂ  放熱部
４０  カードスロット
１００  カメラ本体
１００Ａ  前カバー
１００Ａｉ  内カバー（樹脂カバー）
１００Ａｏ  外カバー（金属カバー）
１９９Ｂ  後カバー
【図１】
2008249955.tif 000003
【図２】
2008249955.tif 000004
【図３】
2008249955.tif 000005
【図４】
2008249955.tif 000006